(57)【要約】  【課題】  容器自体を使い捨てにせずに、液体を補充または交換して使用することができるカートリッジタイプであって、且つ、カートリッジ内の液体を繰り出すことができるカートリッジ式液体繰り出し容器を提供する。  【解決手段】  液体繰り出し容器１０は、本体１３と、本体１３に対して移動可能に取付けられて、外部から操作可能となった操作体１４と、本体１３に対して着脱可能に装填されたカートリッジ１６と、タンク部３２内の液体Ｌを外部へと供給する液体供給体２４と、カートリッジ１６のピストン３４を前方へと押圧するべく、ピストン３４に作用可能であり、カートリッジ１６のカートリッジケース３０内及び本体１３内を移動可能となったピストンロッド１７と、操作体１４に付加された操作力を、ピストンロッド１７の前進に変換する変換部と、を備える。【選択図】  図１
2005206165.tif 000002
【特許請求の範囲】
【請求項１】
本体と、
外部から操作可能となった操作体と、
前記本体に対して着脱可能に装填されて、カートリッジケース、カートリッジケース内にあって液体を収容するタンク部及びタンク部を摺動可能に移動するピストンを有するカートリッジと、
タンク部内の液体を外部へと供給する液体供給体と、
前記カートリッジのピストンを前方へと押圧するべく、ピストンに作用可能であり、前記カートリッジケース内及び本体内を移動可能となったピストンロッドと、
前記操作体に付加された操作力を、ピストンロッドの前進に変換する変換部と、
を備えるカートリッジ式液体繰り出し容器。
【請求項２】
前記変換部は、ピストンロッドとカートリッジケースとの間に形成されてピストンロッドとカートリッジケースとを螺合させる螺合部であり、操作体と本体との間の相対回転により、該螺合部がピストンロッドを前進させることを特徴とする請求項１記載のカートリッジ式液体繰り出し容器。
【請求項３】
ピストンロッドは、本体内において、カートリッジから離反する方向へと付勢されており、
前記螺合部は、カートリッジが本体内の取付位置にあるときに、ピストンロッドとカートリッジケースとを螺合させる一方で、本体内の取付位置から外れると、ピストンロッドとカートリッジケースとの螺合を弛緩させることを特徴とする請求項２記載のカートリッジ式液体繰り出し容器。
【請求項４】
前記螺合部は、前記ピストンロッドの外周面に形成された雄ネジと、カートリッジケースに設けられた雌ネジと、からなり、該雌ネジは径方向に拡縮可能であり、雌ネジは本体内の取付位置にあるときに、縮径されて雄ネジと螺合することを特徴とする請求項３記載のカートリッジ式液体繰り出し容器。
【請求項５】
前記液体供給体は、前記本体に対して分離可能であることを特徴とする請求項１ないし４のいずれか１項に記載のカートリッジ式液体繰り出し容器。
【請求項６】
前記液体供給体は先具に設けられており、該先具にカートリッジが着脱可能に連結され、該先具は前記本体に着脱可能に取付けられることを特徴とする請求項５記載のカートリッジ式液体繰り出し容器。
【発明の詳細な説明】
【技術分野】
【０００１】
本発明は、例えば、化粧用インキ、筆記用インキ、修正液等の液体を収容するカートリッジを有し、カートリッジ内の液体を繰り出すことができるカートリッジ式液体繰り出し容器に関する。
【背景技術】
【０００２】
従来この種の液体を収容し、かつ繰り出すことができる容器としては、例えば特許文献１（実公平６−１４８４４号公報）に記載されたものがある。かかる公報に記載された液体容器は、内部に塗布液貯蔵部を形成した軸体と、貯蔵部内に摺動可能に嵌合したピストンに突設したねじ棒と、内筒部材と外筒部材とを一体的に結合した回転筒とよりなり、回転筒の外筒部材にはリング突条と先端部に軸方向に弾発しうる係止爪を一体に形成し、リング突条を軸体後端のリング溝に圧入嵌合して回転筒を回転自在に連結すると共に、外筒部材の係止爪を軸体内円周方向に一体に形成したラチェット歯に弾接噛合させてラチェット機構を構成し、回転筒の内筒部材にねじ孔を設けて上記ねじ棒を螺合し、該ねじ棒の全長に亘って両側に形成した二平面部を軸体の貯蔵部後端の隔壁に形成したスライド孔に摺動可能に嵌合して、回転筒の回転でねじ棒を回転することなく前進してピストンを軸線方向に押圧して塗布液を供給する構成となっている。
【０００３】
上記回転筒を軸体に対して回転すると、ねじ棒は、軸体の貯蔵部後端の隔壁に形成したスライド孔に摺動可能に嵌合しているために、回転筒の内筒部材とねじ棒との間に相対回転が生じ、回転筒のねじ孔とねじ棒との螺合によって、ねじ棒が前進して、ピストンを軸線方向に押圧して塗布液を軸体の先端へと供給することができる。
【０００４】
しかしながら、この公報に記載された液体容器では、塗布液貯蔵部に貯蔵された液体を使い切った場合には、液体容器自体を使用することはできず、使い捨てとなっており、資源の無駄使いとなっている。また、一次的に、液体の内容を交換して使用したい場合などは、別の液体容器を使うしかない。
【０００５】
その他、特許文献２（特開２００１−２９９４４２号公報）に記載された液体容器も特許文献１と同様の問題がある。
【０００６】
【特許文献１】実公平６−１４８４４号公報
【特許文献２】特開２００１−２９９４４２号公報
【発明の開示】
【発明が解決しようとする課題】
【０００７】
本発明は、かかる課題に鑑みなされたもので、その目的は、容器自体を使い捨てにせずに、液体を補充または交換して使用することができるカートリッジタイプであって、且つ、カートリッジ内の液体を繰り出すことができるカートリッジ式液体繰り出し容器を提供することである。また、本発明の他の目的は、液体を補充または交換する際に、簡単にその作業を行うことができるカートリッジ式液体繰り出し容器を提供することである。
【課題を解決するための手段】
【０００８】
上記目的を達成するために本発明のうち請求項１記載の発明によるカートリッジ式液体繰り出し容器は、本体と、外部から操作可能となった操作体と、前記本体に対して着脱可能に装填されて、カートリッジケース、カートリッジケース内にあって液体を収容するタンク部及びタンク部を摺動可能に移動するピストンを有するカートリッジと、タンク部内の液体を外部へと供給する液体供給体と、前記カートリッジのピストンを前方へと押圧するべく、ピストンに作用可能であり、前記カートリッジケース内及び本体内を移動可能となったピストンロッドと、前記操作体に付加された操作力を、ピストンロッドの前進に変換する変換部と、を備える。
【０００９】
請求項２記載の発明は、請求項１記載の前記変換部が、ピストンロッドとカートリッジケースとの間に形成されてピストンロッドとカートリッジケースとを螺合させる螺合部であり、操作体と本体との間の相対回転により、該螺合部がピストンロッドを前進させることを特徴とする。
【００１０】
請求項３記載の発明は、請求項２記載のピストンロッドが、本体内において、カートリッジから離反する方向へと付勢されており、前記該螺合部は、カートリッジが本体内の取付位置にあるときに、ピストンロッドとカートリッジケースとを螺合させる一方で、本体内の取付位置から外れると、ピストンロッドとカートリッジケースとの螺合を弛緩させることを特徴とする。
【００１１】
請求項４記載の発明は、請求項３記載の前記螺合部が、前記ピストンロッドの外周面に形成された雄ネジと、カートリッジケースに設けられた雌ネジと、からなり、該雌ネジは径方向に拡縮可能であり、雌ネジは本体内の取付位置にあるときに、縮径されて雄ネジと螺合することを特徴とする。
【００１２】
請求項５記載の発明は、請求項１ないし４のいずれか１項に記載の前記液体供給体が、前記本体に対して分離可能であることを特徴とする。
【００１３】
請求項６記載の発明は、前記液体供給体は先具に設けられており、該先具にカートリッジが着脱可能に連結され、該先具は前記本体に着脱可能に取付けられることを特徴とする。
【発明の効果】
【００１４】
本発明によれば、操作体を操作することにより、変換部が操作体に付加された操作力をピストンロッドの前進へと変換し、ピストンロッドが、カートリッジのピストンに作用して、カートリッジケース内及び本体内を移動して、ピストンを前方へと押圧する。ピストンは、タンク部を摺動してタンク部内の液体を前方へと押し出すので、液体供給体から外部へと液体を供給することができるようになる。また、タンク部内の液体がなくなった場合には、カートリッジを本体から取り外して、新たなカートリッジに交換することで、再び、液体を供給することができるようになる。このとき、ピストンロッドは、ピストンに対して離反可能であるため、簡単にカートリッジの交換をすることができる。
【００１５】
こうして、本体、ピストンロッド、操作体は使い捨てにせずに、継続して使用することができるようになり、資源を有効に利用することができるようになる。
【００１６】
請求項３及び４記載の発明によれば、カートリッジの交換をする際に、カートリッジを本体内の取付位置から外すと、ピストンロッドとカートリッジケースとの螺合が弛緩されるために、カートリッジを、ピストンロッドから解放して簡単に取り外すことができる。
そして、ピストンロッドを自動的にカートリッジから離反する位置へと戻すことができる。
【００１７】
請求項５及び６記載の発明によれば、カートリッジの液体供給体も交換することで、同じ液体繰り出し容器で異なる種類の液体を供給することが可能になる。
【発明を実施するための最良の形態】
【００１８】
以下、図面を用いて本発明の実施の形態を説明する。
【００１９】
図１ないし図３は、本発明の第１実施形態のカートリッジ式液体繰り出し容器を表す図である。
【００２０】
図において、符号１０はカートリッジ式液体繰り出し容器であり、カートリッジ式液体繰り出し容器１０は、大まかに、液体供給体を備えた先具１２と、本体１３と、操作体１４と、カートリッジ１６と、ピストンロッド１７と、ピストンロッド１７を後方へと付勢するスプリング１８と、キャップ１９とを有している。
【００２１】
先具１２には、液体を塗布する為の液体供給体である刷毛２４と、液体を刷毛２４に流出する先端パイプ２６と、先具１２内で固定され、且つ同時に刷毛２４及び先端パイプ２６を先具１２に固定するパイプホルダ２８と、が設けられる。さらに、先具１２の内周面には、パイプホルダ２８よりも後方に複数の軸方向に伸びる縦リブ１２ａ（図１参照）が形成されている。勿論、縦リブ１２ａでなくとも、先具１２の内周面が多角形状となっていてもよい。
【００２２】
先具１２の後端部は、本体１３の先端部に挿入されて、着脱可能に螺着される。螺着後は、先具１２と本体１３とは一体的に連結される。本体１３の内部の中央部には、内径方向に膨出された環状段部１３ａが形成されており、該環状段部１３ａの中心孔を前記ピストンロッド１７が貫通している。本体１３内の環状段部１３ａより前方の部分は、カートリッジ１６が挿入される空間となる。環状段部１３ａよりも直前の部分は小径部１３ｂとなっており、該小径部１３ｂは、該小径部１３ｂよりも前側の部分よりも内径が小さくなっている。本体１３の後端部の内周面には、環状リブ１３ｄが形成されている。
【００２３】
本体１３の後端部には、操作体１４が本体１３に対して相対回転操作可能に取付けられている。即ち、操作体１４は、図４に示したように、大径部１４ａと小径部１４ｂとからなり、小径部１４ｂの外周面には環状リブ１４ｃが形成されており、該環状リブ１４ｃは前記環状リブ１３ｄの間に嵌合する。また、操作体１４の内周面には、複数の軸方向に伸びる縦リブ１４ｅが形成されている。
【００２４】
カートリッジ１６は、本体１３内に着脱可能に取付けられるものであり、図５に示したように、カートリッジケース３０と、カートリッジケース３０の内部に画成され、液体を収容するタンク部３２と、タンク部３２内を摺動可能に移動し底蓋の役割をするピストン３４とを有する。収容される液体Ｌは、例えば、修正液、筆記用インキ、化粧用インキ等とすることができ、粘度の大小は問わない。カートリッジケース３０の先端は、前記パイプホルダ２８に連結され、カートリッジケース３０の先端に形成されるタンク部３２の先端開口３２ａは、前記パイプホルダ２８及び先端パイプ２６を介して刷毛２４に連通される。カートリッジケース３０の先端部の外周面には、前記先具１２の縦リブ１２ａに嵌合する縦溝３０ｃが形成されている。こうして、カートリッジ１６は先具１２と一体的に回転する。先具１２の内周面が多角形状である場合には、カートリッジケース３０の先端部の外周面がそれに嵌合する多角形状とするとよい。
【００２５】
タンク部３２の先端開口３２ａには、カートリッジ未使用状態において液体Ｌの粘度が小さい場合に液体Ｌの漏洩を防ぐべく、先栓３５が封入されており、使用時に、カートリッジ１６がパイプホルダ２８に連結されると、パイプホルダ２８が先栓３５をタンク部３２内へと押し出して、先端開口３２ａを開口させる。但し、液体Ｌの粘度が大きい場合には、先栓３５は必ずしも必要なく、その代わりに埃等の侵入を防ぐためのキャップが設けられるとよい。先栓３５は図示したような球形以外の形状としてもよい。
【００２６】
カートリッジケース３０の後端には、チャック３６が設けられる。チャック３６は、縦型チャックであり、図６に示すように、その係止突起３６ａがカートリッジケース３０の後端部の外周面に形成された係止孔３０ａに係止され、カートリッジケース３０の後端に形成された上下一対の切欠３０ｂにチャック３６の後端に形成されて外径方向に突出する上下一対の突起３６ｂが嵌入される。また、チャック３６の後端には突起３６ｂが形成されていない部分に切欠３６ｃが形成されており、チャック３６の後端部の内周面には、切欠３６ｃが形成されていない部分に雌ネジ３６ｄが形成されている。切欠３６ｃが圧縮することでチャック３６の雌ネジ３６ｄは、径方向に縮径可能となる。
【００２７】
また、ピストン３４は、カートリッジケース３０の内周面に弾接するような材質で構成され、図７に示すように、その後端部には後方へと開口した受凹部３４ａが形成されている。
【００２８】
一方、ピストンロッド１７は、その先端部がピストン３４の受凹部３４ａに対して着脱可能に嵌入可能となっている。また、ピストンロッド１７の外周面には雄ネジ１７ａが形成されている。さらには、ピストンロッド１７の後端部には、前記操作体１４の縦リブ１４ｅの間に嵌合する複数の縦リブ１７ｂが形成されている。こうして、ピストンロッド１７は、操作体１４と一体的に回転する。勿論、操作体１４の内周面が多角形状となっており、ピストンロッド１７の後端部の外周面がこれに嵌合する多角形状となっていてもよい。
【００２９】
また、ピストンロッド１７とカートリッジケース３０に設けられたチャック３６とは、螺合可能となっており、このピストンロッド１７の雄ネジ１７ａとチャック３６の雌ネジ３６ｄとからなる螺合部が、ピストンロッド１７を前進させる変換部を構成する。さらには、ピストンロッド１７の先端部は、ピストン３４の受凹部３４ａに嵌入すると、ピストン３４に作用可能となり、ピストンロッド１７の前進力をピストン３４に伝達することができるようになる。尚、この例では、ピストンロッド１７が直接ピストン３４に接触して押圧作用可能となっているが、これに限るものではなく、別部材を介してピストン３４を押圧作用可能となっていてもよい。
【００３０】
以上のように構成されるカートリッジ式液体繰り出し容器１０において、その作用を説明する。まず、カートリッジ１６は、本体１３内に装填される。装填は、本体１３と先具１２との螺着を解き、カートリッジケース３０を先具１２のパイプホルダ２８に連結した後、本体１３の開放された先端の開口からカートリッジ１６を本体１３内に挿入して、先具１２を本体１３に再び螺着することにより、行う（図２参照）。この螺着の際に、カートリッジ１６は、先具１２と共に回転しながら、前記本体１３の環状段部１３ａに当接するまで挿入される。カートリッジケース３０に設けられたチャック３６は本体１３の小径部１３ｂに挿入され、チャック３６の突起３６ｂは小径部１３ｂによって押圧されて切欠３６ｃを圧縮して、チャック３６の後端部の内径は窄められる。そして、チャック３６は回転しながら、その雌ネジ３６ｄがピストンロッド１７の雄ネジ１７ａに螺合する。
【００３１】
カートリッジ式液体繰り出し容器１０を使用する際には、キャップ１９を取り外して、刷毛２４で所望の部分に液体を塗布することができる。また、刷毛２４から供給される液体が少なくなった場合には、操作体１４を本体１３に対して所定の方向に回転する。すると、操作体１４と一体的に回転するピストンロッド１７が回転し、カートリッジ１６は本体１３と一体となっているので、カートリッジ１６のチャック３６と螺合したピストンロッド１７は本体１３内を前進する。そして、ピストンロッド１７の先端部がピストン３４の受凹部３４ａに嵌入して、ピストン３４を前方へと押し出すので、タンク部３２内の液体Ｌがパイプホルダ２８を介して刷毛２４へと押し出されて、刷毛２４から被塗布面へと塗布される。
【００３２】
こうして、液体の使用と共にピストンロッド１７はカートリッジケース３０内及び本体１３内を前進して、ピストン３４はタンク部３２内を前進摺動していく（図３参照）。液体が使用されてタンク部３２内の液体がなくなり、カートリッジ１６を交換する必要がでると、再び、先具１２と本体１３との螺着を解く。この螺着を解くため、先具１２を回転していくと、カートリッジ１６も回転しながら前進する。このとき、チャック３６の雌ネジ３６ｄは、ピストンロッド１７の雄ネジ１７ａに対して回転するが、チャック３６の突起３６ｂが小径部１３ｂから外れると、チャック３６の後端部の内径が元の自然状態に復帰するため、もはや雌ネジ３６ｄは雄ネジ１７ａに対して螺合せず、螺合は弛緩されて、ピストンロッド１７は、カートリッジ１６から解放されるため、スプリング１８のスプリング力によって後方へと戻り、初期状態へと自動的に復帰する。
【００３３】
そして、先具１２と本体１３が分離された後、古いカートリッジ１６を先具１２から外して、新たなカートリッジ１６を先具１２に連結して、再び、この新しいカートリッジ１６を本体１３に装填することにより、先と同様に使用することができるようになる。こうして、先具１２、本体１３、操作体１４等のカートリッジ以外の液体繰り出し容器１０の部品を使い捨てにせずに、液体を補充または交換することができる。
【００３４】
また、カートリッジ１６だけでなく、先具１２を交換することもできる。例えば、液体の種類を変える場合には、先具１２ごと交換すれば、刷毛２４を含めて交換することができる。
【００３５】
図８は、本発明の第２実施形態を表す図である。同図において、第１実施形態と同じ部材は同一の符号を付して、詳細説明を省略する。
【００３６】
第１実施形態では、チャックとして縦型のチャックを使用していたが、この実施形態では、Ｃ型のチャックを使用している点で異なっており、それ以外の点では、ほぼ同様である。
【００３７】
図１０及び図１１に示すように、Ｃ型のチャック３８の後端に形成されて外径方向に突出する上下一対の突起３８ｂが、カートリッジケース３０の後端に形成された上下一対の切欠３０ｂに嵌入されて係止される。また、チャック３８の周面には、突起３８ｂが形成されていない部分に軸方向に伸びる１本のスリット３８ｃが形成されており、こうして、チャック３８の横断面がＣ型形状をなしている。チャック３８の後端部の内周面には、スリット３８ｃが形成されていない部分に雌ネジ３８ｄが形成されている。スリット３８ｃが圧縮することでチャック３８の雌ネジ３８ｄは、径方向に縮径可能となる。スリット３８ｃを含めたチャック３８の輪郭は、円形に限らず、楕円であってもよい。
【００３８】
ピストンロッド１７の雄ネジ１７ａとチャック３８の雌ネジ３８ｄとからなる螺合部が、ピストンロッド１７を前進させる変換部を構成する。
【００３９】
このようなチャック３８を設けたカートリッジ１６の場合にも、カートリッジ１６を本体１３に装填する際に（図９参照）、チャック３８は本体１３の小径部１３ｂに挿入され、チャック３８の突起３８ｂは小径部１３ｂによって押圧されてスリット３８ｃを圧縮して、チャック３８の内径は窄められて、チャック３８は回転しながら、その雌ネジ３８ｄがピストンロッド１７の雄ネジ１７ａに螺合する（図８）。
【００４０】
また、反対に、カートリッジ１６を交換する必要ができて、先具１２と本体１３との螺着を解き、先具１２を回転していくと、カートリッジ１６も回転しながら前進する。このとき、チャック３８の雌ネジ３８ｄは、ピストンロッド１７の雄ネジ１７ａに対して回転するが、チャック３８の突起３８ｂが小径部１３ｂから外れると、チャック３６の後端部の内径が元の自然状態に復帰するため、もはや雌ネジ３８ｄは雄ネジ１７ａに対して螺合せず、螺合は弛緩されて、ピストンロッド１７は、カートリッジ１６から解放されるため、スプリング１８のスプリング力によって後方へと戻り、初期状態へと自動的に復帰する。
【００４１】
こうして、第１実施形態と同様に作用させることができる。
【００４２】
図１２は、本発明の第３実施形態を表す図である。同図において、第１実施形態と同じ部材は同一の符号を付して、詳細説明を省略する。
【００４３】
この実施形態では、操作体は本体の後端部に取付けられているのではなく、本体４３の先端部に取付けられた先具４２が操作体を兼ねている点で、前実施形態と異なっている。
【００４４】
即ち、先具４２には、液体を塗布する為の先端塗布体である刷毛２４と、液体を刷毛２４に流出する先端パイプ２６と、先具４２内で固定され、且つ刷毛２４及び先端パイプ２６を先具４２に固定するパイプホルダ２８と、が設けられる。さらに、先具１２の内周面には、パイプホルダ２８よりも後方に複数の軸方向に伸びる縦リブ１２ａ（図１２参照）が形成されている。
【００４５】
先具４２の後端部は、本体４３の先端部に挿入されて、着脱可能に嵌合される。嵌合後は、先具４２と本体４３とは相対回転可能に連結される。本体４３の内部の中央部には、ストッパー４４が固定されており、該ストッパー４４の中心孔をピストンロッド１７が貫通している。本体４３内のストッパー４４より前方の部分は、カートリッジ１６が挿入される空間となる。ストッパー４４よりも直前の本体４３の部分は小径部４３ｂとなっており、該小径部４３ｂは、該小径部４３ｂよりも前側の部分よりも内径が小さくなっている。また、本体４３のストッパー４４よりも後方の部分には、その内周面に、複数の軸方向に伸びる縦リブ４３ａが形成されており、該縦リブ４３ａの間に、ピストンロッド１７の縦リブ１７ｂが嵌合するようになっており、こうして、ピストンロッド１７は、本体４３と一体的に回転する。勿論、本体４３内の内周面が多角形状となっており、ピストンロッド１７の後端部がこれに嵌合する多角形状となっていてもよい。
【００４６】
以上のように構成されるカートリッジ式液体繰り出し容器１０において、その作用を説明する。まず、カートリッジ１６は、本体４３内に装填される。装填は、本体４３と先具４２との結合を解き、カートリッジケース３０を先具４２のパイプホルダ２８に連結した後、本体４３の開放された先端の開口からカートリッジ１６を本体４３内に挿入して、先具４２を本体４３に再び結合することにより、行う（図１３参照）。このとき、カートリッジ１６は、前記本体４３内に固定されたストッパー４４に当接するまで挿入される。カートリッジケース３０に設けられたチャック３６は本体４３の小径部４３ｂに挿入され、チャック３６の突起３６ｂは小径部４３ｂによって押圧されて切欠３６ｃを圧縮して、チャック３６の後端部の内径は窄められる。そして、先具４２及びチャック３６を回転させながら、その雌ネジ３６ｄをピストンロッド１７の雄ネジ１７ａに螺合する。
【００４７】
カートリッジ式液体繰り出し容器１０を使用する際には、キャップ１９を取り外して、刷毛２４で所望の部分に液体を塗布することができる。また、刷毛２４から供給される液体が少なくなった場合には、先具４２を本体４３に対して所定の方向に回転する。すると、先具４２と一体的に回転するカートリッジ１６が回転し、ピストンロッド１７は本体４３に対して回転不能であるため、ピストンロッド１７はカートリッジ１６のチャック３６と螺合しながら本体４３内を前進する。そうして、ピストンロッド１７の先端部がピストン３４の受凹部３４ａに嵌入して、ピストン３４を前方へと押し出すので、タンク部３２内の液体がパイプホルダ２８を介して刷毛２４へと押し出されて、刷毛２４から被塗布面へと塗布される。
【００４８】
こうして、液体の使用と共にピストンロッド１７はカートリッジケース３０内及び本体４３内を前進して、ピストン３４はタンク部３２内を前進摺動していく。液体が使用されてタンク部３２内の液体がなくなり、カートリッジ１６を交換する必要がでると、再び、先具４２と本体４３との結合を解く。この結合を解く際に、先具４２を回転しながら引き抜いていくと、カートリッジ１６も回転しながら前進する。このとき、チャック３６の雌ネジ３６ｄは、ピストンロッド１７の雄ネジ１７ａに対して回転するが、チャック３６の突起３６ｂが小径部４３ｂから外れると、チャック３６の後端部の内径が元の自然状態に復帰するため、もはや雌ネジ３６ｄは雄ネジ１７ａに対して螺合せず、螺合は弛緩し、ピストンロッド１７は、カートリッジ１６から解放されるため、スプリング１８のスプリング力によって後方へと戻り、初期状態へと自動的に復帰する。
【００４９】
そして、先具４２と本体４３が分離された後、古いカートリッジ１６を先具４２から外して、新たなカートリッジ１６を先具４２に連結して、再び、この新しいカートリッジ１６を本体４３に装填することにより、先と同様に使用することができるようになる。こうして、先具４２、本体４３等のカートリッジ以外の液体繰り出し容器１０の部品を使い捨てにせずに、液体を補充または交換することができる。
【００５０】
また、カートリッジ１６だけでなく、先具４２を交換することもできる。例えば、液体の種類を変える場合には、先具４２ごと交換すれば、刷毛２４を含めて交換することができる。
【００５１】
以上の各実施形態において、単一の部材で構成されていた部材を、複数部材で構成することも可能であり、逆に複数部材で構成された部材を単一の部材を構成することも可能である。
【図面の簡単な説明】
【００５２】
【図１】本発明の第１実施形態のカートリッジ式液体繰り出し容器を表す全体縦断面図である。
【図２】第１実施形態のカートリッジ式液体繰り出し容器のカートリッジを装填する際の状態を表す全体縦断面図である。
【図３】第１実施形態のカートリッジ式液体繰り出し容器のピストンロッドが前進した状態を表す全体縦断面図である。
【図４】（ａ）は操作体の平面図、（ｂ）は縦断面図、（ｃ）は（ｂ）のｃ−ｃ線に沿って見た断面図である。
【図５】（ａ）はカートリッジの平面図、（ｂ）は縦断面図である。
【図６】（ａ）はチャックの縦断面図、（ｂ）は（ａ）のｂ線に沿って見た矢視図である。
【図７】（ａ）はピストンの平面図、（ｂ）は縦断面図である。
【図８】本発明の第２実施形態のカートリッジ式液体繰り出し容器を表す全体縦断面図である。
【図９】第２実施形態のカートリッジ式液体繰り出し容器のカートリッジを装填する際の状態を表す全体縦断面図である。
【図１０】第２実施形態の（ａ）はカートリッジの平面図、（ｂ）は縦断面図である。
【図１１】第２実施形態の（ａ）はチャックの縦断面図、（ｂ）は（ａ）のｂ線に沿って見た矢視図である。
【図１２】本発明の第３実施形態のカートリッジ式液体繰り出し容器を表す全体縦断面図である。
【図１３】第３実施形態のカートリッジ式液体繰り出し容器のカートリッジを装填する際の状態を表す全体縦断面図である。
【符号の説明】
【００５３】
１０  カートリッジ式液体繰り出し容器
１２  先具
１３、４３  本体
１４  操作体
１６  カートリッジ
１７  ピストンロッド
１７ａ  雄ネジ
２４  刷毛（液体供給体）
３０  カートリッジケース
３４  ピストン
３６、３８  チャック
３６ｄ、３８ｄ  雌ネジ
４２  先具（操作体）
【図１】
2005206165.tif 000003
【図２】
2005206165.tif 000004
【図３】
2005206165.tif 000005
【図４】
2005206165.tif 000006
【図５】
2005206165.tif 000007
【図６】
2005206165.tif 000008
【図７】
2005206165.tif 000009
【図８】
2005206165.tif 000010
【図９】
2005206165.tif 000011
【図１０】
2005206165.tif 000012
【図１１】
2005206165.tif 000013
【図１２】
2005206165.tif 000014
【図１３】
2005206165.tif 000015